(57)【要約】【課題】  シンプルな機構でもって嵩張らず、できる限りの露出部分を少なくし、しかも、複雑な開度調節を行える窓開閉装置を提供する。【解決手段】  窓開閉装置は、固定枠11と、固定枠11と相対するように配置されている可動枠12と、固定枠11に対し可動枠12が出側端および入側端間で前後方向に移動しうるように可動枠12を支持している支持手段と、可動枠12に左右方向にスライドしうるように支持されている障子13と、可動枠12を出側端および入側端間で移動させかつ可動枠12が出側端に位置させられた状態で障子13をスライドさせる移動手段とを備えている。【選択図】  図３
2005299267.tif 000002
【特許請求の範囲】
【請求項１】
固定枠11と、固定枠11と相対するように配置されている可動枠12と、固定枠11に対し可動枠12が出側端および入側端間で前後方向に移動しうるように可動枠12を支持している支持手段と、可動枠12に左右方向にスライドしうるように支持されている障子13と、可動枠12を出側端および入側端間で移動させかつ可動枠12が出側端に位置させられた状態で障子13をスライドさせる移動手段とを備えている窓開閉装置。
【請求項２】
固定枠11が、固定左枠部材23および右枠部材24を有しており、可動枠12が、可動左枠部材43および右枠部材44を有しており、支持手段が、固定左枠部材23および可動左枠部材43に渡されている左クロスリンク機構61と、固定右枠部材24および可動右枠部材44に渡されている右クロスリンク機構62とよりなる請求項１に記載の窓開閉装置。
【請求項３】
固定枠11が、固定上枠部材21および下枠部材22を有しており、障子13が、上框51および下框52を有しており、移動手段が、固定上枠部材21にそって移動しうる上移動片と、固定下枠部材22にそって移動しうる下移動片81、82と、後端部が上移動片に連結されかつ前端部が上框51に連結されている上押出リンクと、後端部が下移動片81、82に連結されかつ前端部が下框52に連結されている下押出リンク83と、上移動片および下移動片81、82を左右交互に逆方向に移動させる移動機構と、上移動片および下移動片81、82の移動にともない可動枠12が出側端および入側端間で移動させられるように上押出リンクおよび下押出リンク83を同方向に揺動させる揺動機構とを備えており、上押出リンクの前端部および下押出リンク83の前端部の一方が上框51および下框52の対応するものに対して移動自在となされ、その他方が上框51および下框52の対応するものに対して移動拘束となされている請求項１または２に記載の窓開閉装置。
【請求項４】
移動機構が、固定枠11にそって移動しうるチェーン63と、チェーン63と噛み合わされたスプロケット67と、スプロケット67を回転させるハンドル69とを備えている請求項３に記載の窓開閉装置。
【請求項５】
揺動機構が、前端部が上押出リンクの長さの中間部に連結されかつ後端部が上移動片に連結されている上揺動リンクと、上揺動リンクの前端部と係合・離脱自在に係合されかつ係合時に同前端部を前後方向に案内する上ガイド部材と、前端部が下押出リンク83の長さの中間部に連結されかつ後端部が下移動片81、82に連結されている下揺動リンク84と、下揺動リンク84の前端部と係合・離脱自在に係合されかつ係合時に同前端部を前後方向に案内する下ガイド部材85とを備えている請求項３または４に記載の窓開閉装置。
【発明の詳細な説明】
【技術分野】
【０００１】
この発明は、窓開閉装置、とくに、出窓に好適に用いられる窓開閉装置に関する。
【背景技術】
【０００２】
この種の窓開閉装置としては、障子を窓枠そってすべらせながら開閉するようにした滑り出し窓（特許文献１参照。）、障子を回転させながら開閉するようにした回転窓（特許文献２参照。）が知られている。
【０００３】
上記従来のものでは、開閉機構が複雑であり、嵩張るという問題点があった。また、機構の大部分が外部に露出しており、目障りであるばかりか、邪魔になるという問題点もあった。さらには、開閉のための動作がすべるか、回転するかだけの単一動作であるため、開度の調節範囲が単純で、限られていた。
【特許文献１】実開平７−２９２７３号公報      特開平８−８６１６２号公報
【発明の開示】
【発明が解決しようとする課題】
【０００４】
この発明の目的は、シンプルな機構でもって嵩張らず、できる限りの露出部分を少なくし、しかも、複雑な開度調節を行える窓開閉装置を提供することにある。
【課題を解決するための手段】
【０００５】
この発明による窓開閉装置は、固定枠と、固定枠と相対するように配置されている可動枠と、固定枠に対し可動枠が出側端および入側端間で前後方向に移動しうるように可動枠を支持している支持手段と、可動枠に左右方向にスライドしうるように支持されている障子と、可動枠を出側端および入側端間で移動させかつ可動枠が出側端に位置させられた状態で障子をスライドさせる移動手段とを備えているものである。
【０００６】
この発明による窓開閉装置では、可動枠を出入りさせることと、障子をスライドさせることにより、窓が開閉される。可動枠および障子はいずれも直線移動だけの動作をするだけであるため、機構がシンプルで嵩張らず、露出部分を少なくすることが容易である。しかも、開閉動作を２段階に行えるため、複雑な開度調節を行うことができる。
【０００７】
さらに、固定枠が、固定左枠部材および右枠部材を有しており、可動枠が、可動左枠部材および右枠部材を有しており、支持手段が、固定左枠部材および可動左枠部材に渡されている左クロスリンク機構と、固定右枠部材および可動右枠部材に渡されている右クロスリンク機構とよりなると、可動枠の移動を安定姿勢で確実に支持することができる。
【０００８】
また、固定枠が、固定上枠部材および下枠部材を有しており、障子が、上框および下框を有しており、移動手段が、固定上枠部材にそって移動しうる上移動片と、固定下枠部材にそって移動しうる下移動片と、後端部が上移動片に連結されかつ前端部が上框に連結されている上押出リンクと、後端部が下移動片に連結されかつ前端部が下框に連結されている下押出リンクと、上移動片および下移動片を左右交互に逆方向に移動させる移動機構と、上移動片および下移動片の移動にともない可動枠が出側端および入側端間で移動させられるように上押出リンクおよび下押出リンクを同方向に揺動させる揺動機構とを備えており、上押出リンクの前端部および下押出リンクの前端部の一方が上框および下框の対応するものに対して移動自在となされ、その他方が上框および下框の対応するものに対して移動拘束となされていると、可動枠を出入りさせる動作と、障子をスライドさせる動作とを、１つの機構でもって連続して行うことができ、開閉動作を容易に行うことができる。
【０００９】
また、移動機構が、固定枠にそって移動しうるチェーンと、チェーンと噛み合わされたスプロケットと、スプロケットを回転させるハンドルとを備えていると、ハンドルを回転させてチェーン移動させるだけの簡単な操作でもって窓の開閉動作を行うことができる。
【００１０】
また、揺動機構が、前端部が上押出リンクの長さの中間部に連結されかつ後端部が上移動片に連結されている上揺動リンクと、上揺動リンクの前端部と係合・離脱自在に係合されかつ係合時に同前端部を前後方向に案内する上ガイド部材と、前端部が下押出リンクの長さの中間部に連結されかつ後端部が下移動片に連結されている下揺動リンクと、下揺動リンクの前端部と係合・離脱自在に係合されかつ係合時に同前端部を前後方向に案内する下ガイド部材とを備えていると、障子を開位置に向かってスライドさせる前に、可動枠を自動的に押出すことができ、障子を閉位置に位置させた後、可動枠を引入れることができる。
【発明の効果】
【００１１】
この発明によれば、シンプルな機構でもって嵩張らず、できる限りの露出部分を少なくし、しかも、複雑な開度調節を行える窓開閉装置が提供される。
【発明を実施するための最良の形態】
【００１２】
この発明の実施の形態を図面を参照しながらつぎに説明する。
【００１３】
以下の説明において、前後とは、窓を室内側から見て、窓の外の側を前、これと反対側を後といい、左右とは、後から見て、左右の側を左右というものとする。
【００１４】
図１は、出窓の先端部分を内側から見たものを示している。出窓の先端部分には固定枠11が設けられている。固定枠11には可動枠12が出側端および入側端間で出入りするように取付られている。図２および図３おいて、可動枠12が出側端に位置させられている状態が示されている。また、図２および図３の矢印Ａが可動枠12が出る方向である。可動枠12にはガラス入障子13がスライドしうるように支持されている。図１および図２に矢印Ｂで示す右方向が開位置へ向かう方向であり、これとは逆に、左方向が閉位置へ向かう方向である。
【００１５】
固定枠11は、固定上枠部材21、固定下枠部材22、固定左枠部材23および固定右枠部材24を備えている。これらの枠部材21〜24内側に位置してそれぞれの内面そって、固定枠11の開口よりも若干小さい枠状をなす水仕舞25がのびている。
【００１６】
固定上枠部材21、固定下枠部材22、固定左枠部材23および固定右枠部材24の内面後端部には上チェーンガイド26、下チェーンガイド27、左チェーンガイド28および右チェーンガイド29がそれぞれ対応する枠部材21〜24にそって設けられている。上チェーンガイド26の外側にはこれにそって下向き上ガイド溝31が、下チェーンガイド27の外側にはこれにそって上向き下ガイド溝32が互いに向き合うようにそれぞれ形成されている。さらには、固定上枠部材21および固定下枠部材22内面前縁部には、これにそってピン溝33、34が形成されている。
【００１７】
可動枠12は、可動上枠部材41、可動下枠部材42、可動左枠部材43および可動右枠部材44を備えている。可動上枠部材41には下向き上障子走行レール45が、可動下枠部材42には上向き下障子走行レール46がそれぞれ前方に突出して相対するように設けられている。
【００１８】
障子13は、上框51、下框52、左框53および右框54と、これらの框51〜54にはめ込まれたガラス板55とを備えている。上框51の前端部には上方突出状下化粧板56が、下框52には下方突出状下化粧板57がそれぞれ一体的に設けられている。上障子走行レール45および上框51間には上転動ボール58が、下障子走行レール46および下框52間には下転動ボール59がそれぞれ介在させられている。
【００１９】
固定左枠部材23および可動左枠部材43間には左クロスリンク機構61が介在させられるとともに、固定右枠部材24および可動右枠部材44間には右クロスリンク機構62が介在させられている。これらのクロスリンク機構61、62が支持手段を構成している。
【００２０】
プッシャブル・チェーン63が、上チェーンガイド26の長さの中程から右に向かって、右チェーンガイド29の全長にわたって経由し、下チェーンガイド27の長さの中程まで左に向かってのびている。チェーン63は、図６に詳細に示されているように、幅広リンク64および幅狭リンク65を交互に連結することによって構成されている。このチェーン63が移動機構を構成している。
【００２１】
固定下枠部材22の右端部に近接してギヤボックス66が取付られている。ギヤボックス66内には、チェーン63と噛み合わされたスプロケット67が内蔵されている。スプロケット67にはユニバーサルジョイント68を介して回転ハンドル69が連結されている（図５）。
【００２２】
固定上枠部材21には上ロック機構71および上揺動機構72が備えられるとともに、固定下枠部材22には下ロック機構73および下揺動機構74が備えられている。上ロック機構71および上揺動機構72と、下ロック機構73および下揺動機構74とは、互いに上下および左右の向きは異にするが、基本構造は同一のものである。以下、主として、図６に詳細に示す下ロック機構73および下揺動機構74について説明し、上ロック機構71および上揺動機構72については、対応する部分については同一の符号を付してその説明は省略し、相違する部分についてのみ説明する。
【００２３】
下ロック機構73は、固定ロック部材75、係合部材76および可動ロック部材77を備えている。
【００２４】
下揺動機構74は、左移動片81、右移動片82、押出リンク83、揺動リンク84およびガイド部材85を備えている。
【００２５】
固定ロック部材75は、固定下枠部材22の左端部に近接して下ガイド溝32の前側に固定された垂直断面クランク状のもので、垂直板91およびこれの上端から後方に突出させられた水平板92を有している。水平板92には右斜め前に開放したロック溝93が形成されている。係合部材76は、固定ロック部材75の左右方向を位置を同じくして、固定下枠部材22の下面に固定されかつ水平断面円弧状の下方突出係合板94を有している。係合板94は、可動枠12が完全に引入れられた状態で固定下枠部材22の垂直板91の前面に当接させられるようになっている。可動ロック部材77は、左移動片81の上面左部に垂直ピンよって揺動自在に取付られた平面視コ字水平板状のもので、揺動端に上方突出ロックピン95を有しかつロックピン95と相対させられたロック爪96を有している。
【００２６】
左移動片81は、長尺ブロック状のもので、下ガイド溝32に摺動自在にはめ入れられかつアタッチメント101を介してチェーン63に連結されている。右移動片82は、短尺ブロック状のもので、左移動片81とは別個に移動しうるように下ガイド溝32に摺動自在にはめ入れられている。押出リンク83は、後端部において左移動片81の上面右部に垂直ピンよって揺動自在に取付られた水平帯板状のもので、前端部に上方突出連結ピン102を有している。連結ピン102は、平行２面を有しかつ連結部材103に連結されている。連結部材103は、アングル状のもので、垂直板104および水平板105を有している。垂直板104は、下化粧板57の後面に固定されている。水平板105には左右方向にのびた長孔106およびこれの右端部に連通させられた丸孔107を有している。長孔106の幅は、連結ピン102の平行２面の間隔よりも僅かに小さくなっている。長孔106の幅よりも、丸孔107の径は大である。揺動リンク84は、後端部において右移動片82の上面中央に垂直ピンよって揺動自在に取付られた水平帯板状のもので、前端部に押出リンク83の長さの中程に連結された下方突出状垂直ガイドピン108を有している。ガイド部材85は、固定ロック部材75の右方に位置して下ガイド溝32の前側に固定された水平板状のもので、ガイドピン108をはめ入れたガイド溝109を有している。ガイド溝109は、左右方向にのびた直線部111および直線部111の右端部に連なる円弧部112よりなる（図７）。円弧部112は、揺動リンク84の揺動中心を中心とする円周上をのびかつ右方をピン溝34に連通させている。
【００２７】
図４を参照すると、上框51の上面にはこれにそって左右方向にのびたローラ溝121が形成されている。ローラ溝121にはローラ122が転動自在にはめ入れられている。ローラ122は、上揺動機構72の押出リンク83の前端部に取付られている。下揺動機構74の押出リンク83の前端部は障子13とともに移動させられるように構成されているが、上揺動機構72の押出リンク83の前端部は、障子13とは別個に自由に移動しうるように構成されている。この点が、上揺動機構72および下揺動機構74の相違である。
【００２８】
つぎに、図７を参照しながら、窓開閉動作を説明する。図７(a)は、可動枠12は引入れられかつ障子13は閉じられた状態を示している。また、可動枠12はロック機構73によってロックされている。すなわち、固定ロック部材75および可動ロック部材77によって係合部材76の係合板94が前後から締付られていて、可動枠12は前後方向に移動できなくなっている。さらには、ロック溝93の底にロックピン95は当接させられている。この状態を、図１に基づいて説明すると、上揺動機構72は固定上枠部材21の右端に位置させられ、下揺動機構74は固定下枠部材22の左端に位置させられていて、固定枠11の概ね対角線上に双方の揺動機構が位置させられている。
【００２９】
図７(a)の状態から、ハンドル69を回転させてチェーン63を右方向に移動させると、図７(b)に示すように、チェーン63とともに左移動片81が右向きに移動させられ、可動ロック部材77が時計方向に揺動しながら、ロック溝93からロックピン95が抜け出し、長孔106内を連結ピン102が右方向に移動させられるとともに、ガイド溝109の直線部111をガイドピン108が右方向に移動させられる。ここまでは、押出リンク83は揺動させられることはない。係合板94の両ロック部材75、77による締付は解放され、可動枠12の移動は自由となっている。
【００３０】
図７(c)に示すように、チェーン63がさらなる移動を続けると、ガイドピン108がガイド溝109の曲線部112を移動し、これにより、押出リンク83は反時計方向に揺動させられ、揺動リンク84は時計方向に揺動させられる。その結果、可動枠12は前向きに押出されていく。この時点までは、右移動片82は静止させられたままである。
【００３１】
図７(d)に示すように、右移動片82に左移動片81が当接させられると、この後は、右移動片82および左移動片81はともにチェーン63とともに移動させられる。この時点で、ガイドピン108がガイド溝109からピン溝34へ乗り移る。勿論、右移動片82および左移動片81とともに揺動機構74も移動させられ、揺動機構74によって障子13が右方に押動されて、障子13は開いていくことになる。
【００３２】
障子13を閉じる際は、チェーン63を左向きに移動させる。そうすると、上記の動作が逆の手順によって行われる。障子13が左向きに移動して閉じられると、ガイド溝109にガイドピン108がはめ入れられることにより、可動枠12が引入れられていく。可動枠12が完全に引入れられると、ロック溝93にロックピン95がはめ入れられ、可動ロック部材77が反時計方向に揺動し、両ロック部材75、77によって係合部材76が締付られる。
【００３３】
図８は、障子13の変形例を示すものである。上記の障子13は、ボール58、59を転動させることにより、その移動が案内されるようになつているが、この例では、ボール58、59に代えて、ころが採用されている。
【図面の簡単な説明】
【００３４】
【図１】この発明による窓開閉装置を備えた出窓を内側から見た正面図である。
【図２】図１のII−IIにそう垂直断面図である。
【図３】図１のIII−III線にそう水平断面図である。
【図４】同出窓の上部拡大断面図である。
【図５】同出窓の下部拡大断面図である。
【図６】同窓開閉装置の要部拡大斜視図である。
【図７】窓開閉動作を順を追って示す説明図である。
【図８】同出窓の障子の変形例を示す図４相当の断面図である。
【符号の説明】
【００３５】
11  固定枠
12  可動枠
13  障子
23  固定左枠部材
24  固定右枠部材
43  可動左枠部材
44  可動右枠部材
51  上框
52  下框
61  左クロスリンク機構
62  右クロスリンク機構
63  チェーン
83  押出リンク
84  揺動リンク
85  ガイド部材
【図１】
2005299267.tif 000003
【図２】
2005299267.tif 000004
【図３】
2005299267.tif 000005
【図４】
2005299267.tif 000006
【図５】
2005299267.tif 000007
【図６】
2005299267.tif 000008
【図７】
2005299267.tif 000009
【図８】
2005299267.tif 000010